(57)【要約】【課題】  本発明の実施形態が解決しようとする課題は、ショーケースの照明に消費される電力を抑えつつ、庫内陳列室及びシェードへの照明を効率よく行う。【解決手段】  少なくとも前面が開口した陳列室を有する本体部と、陳列室の前面上方側に配置され、下方に気流を吹出す吹出し口と、吹出し口の前方側に配置される光透過性を有するシェードと、シェードの後方側で且つ吹出し口の前方側に配置されるＬＥＤ照明装置を備え、ＬＥＤ照明装置はショーケース前方に光軸方向を向けて配置されている。【選択図】図１
2019097712.tif 000002
【特許請求の範囲】
【請求項１】
少なくとも前面が開口した陳列室を有する本体部と、
前記陳列室の前面上方側に配置され、下方に気流を吹出す吹出し口と、
前記吹出し口の前方側に配置される光透過性を有するシェードと、
前記シェードの後方側で且つ前記吹出し口の前方側に配置されるＬＥＤ照明装置を備え、
前記ＬＥＤ照明装置はショーケース前方に光軸方向を向けて配置される
ことを特徴とするオープンショーケース。
【請求項２】
前記ＬＥＤ照明装置は、光軸方向または輝度の高いピーク角度方向のいずれかを前記シェードに向けて配置されることを特徴とする請求項１に記載のオープンショーケース。
【請求項３】
前記シェードの後方側で且つ前記ＬＥＤ照明装置の前方側に配置された反射面を備え、
前記反射面の法線方向が前記陳列室に向けて配置されていることを特徴とする請求項１に記載のショーケース。
【請求項４】
前記シェードの前面に当接する補強板を備え、
前記補強板と前記反射面の前方側端部とが前記シェードを挟んで配置されていることを特徴とする請求項３に記載のショーケース。
【請求項５】
前記吹出し口の前方側に配置される支持板と、
前記支持板に設けられるパネル部を有し、
前記ＬＥＤ照明装置は前記支持板の前方側で且つ前記パネル部の上方に配置される
ことを特徴とする請求項１に記載のオープンショーケース。
【請求項６】
前記ＬＥＤ照明装置は光軸方向と反対側の面に吸着部を備え、
前記吸着部により前記本体部に吸着固定されることを特徴とする請求項１に記載のショーケース。
【発明の詳細な説明】
【技術分野】
【０００１】
本発明の実施形態は、照明装置を備えたショーケースに関する。
【背景技術】
【０００２】
従来、スーパーマーケットやコンビニエンスストア等に設置されるショーケースには、ショーケース庫内に陳列された商品を照らすための照明装置が取付けられている。照明装置としては、蛍光灯やＬＥＤ（Light Emitting Diode）等の発光体が用いられるものがあるが、近年は省エネルギーの観点から、より消費電力が少なく照度の高いＬＥＤを用いた照明が好まれている。
ＬＥＤ照明の光は一般的に指向性を有している。
【０００３】
また、ショーケースに用いる照明装置には、庫内商品を照明するのみならず、ショーケース前方側に面する透過性のシェードも照明することが求められている。このように複数の照明用途を満足するため、１つのショーケースに複数の照明装置を用いるものが知られているが、コスト低減のため部品点数の削減や消費電力の抑制のために、単一の照明装置により庫内照明とシェードの照明を行うものが知られている。一般的に指向性のあるＬＥＤ照明を用いるショーケースは、庫内側の照明が優先されるため、光軸方向を庫内陳列室に向けて配置され、シェードの照明については、光軸方向よりある程度の角度方向に照射される弱い光やリフレクタを介した光によって照明されるものが知られている。
【０００４】
しかしながら、ショーケースが設置される店舗によっては、店舗内照明が十分になされ庫内陳列室への照明としても機能する場合がある。このような店舗において、上記のように庫内側の照明を優先するショーケースでは、無駄な照明に電力を消費するばかりでなく、シェードへの照明が不十分となる場合がある。
【先行技術文献】
【特許文献】
【０００５】
【特許文献１】特開２０１０−８８５６９号公報
【発明の概要】
【発明が解決しようとする課題】
【０００６】
本発明が解決しようとする課題は、ショーケースの照明に消費される電力を抑えつつ、庫内陳列室及びシェードへの照明を効率よく行うことを目的とする。
【課題を解決するための手段】
【０００７】
本発明に係る実施形態に記載のショーケースは上記課題を解決するために、少なくとも前面が開口した陳列室を有する本体部と、陳列室の前面上方側に配置され、下方に気流を吹出す吹出し口と、吹出し口の前方側に配置される光透過性を有するシェードと、シェードの後方側で且つ吹出し口の前方側に配置されるＬＥＤ照明装置を備え、ＬＥＤ照明装置はショーケース前方に光軸方向を向けて配置されている。
【図面の簡単な説明】
【０００８】
【図１】一実施形態のショーケースを示す斜視図。
【図２】同ショーケースの一部縦断面概略を示す側面図。
【図３】同ショーケースの照明装置近傍の要部概略を示す側面図。
【発明を実施するための形態】
【０００９】
以下、実施形態のショーケースを、図面を参照して説明する。
【００１０】
図１に示すように、本実施形態のショーケース１は、例えばスーパーマーケットやコンビニエンスストア等の店舗内Ｓに据え付けて用いられる前面開口型の冷蔵ショーケースである。ここで、図１におけるＸ方向を左右方向、Ｙ１を前方、Ｙ２を後方、Ｚ１を上方、Ｚ２を下方とする。
ショーケース１は、前面が開口した庫内陳列室１０を備えた断熱性の本体部１１を有しており、庫内陳列室１０内には、商品等を陳列するための複数の陳列棚１８が上下方向に配列されている。
店舗内Ｓに配置されるショーケース１は、庫内陳列室１０の開口面側を前方とし、後方側を店舗内壁に対向して配置される。
ショーケース１の左右両端には側板１７が設けられており、庫内陳列室１０とショーケース１の左右外側の空間とを仕切っている。
側板１７は、前方側が切欠かれた略Ｃ字形に形成された断熱板１７ａと、断熱板１７ａの切欠き部分に取付けられた窓部１７ｂを有する。窓部１７ｂは、ガラス等の透明な材料で形成されており、庫内陳列室１０を左右方向から視認することができる。
また、図１に示すショーケース１は、２つの本体部１１を、仕切り板５を介して左右方向に連結された状態を示している。
ここで、本実施形態では、図１に示すように２つの本体部１１を左右方向に連結したショーケース１を示しているが、本体部１１の数は特に限定されず、１つでもよいし３つ以上を連結してもよい。また、仕切り板５を設けずに庫内陳列室１０を左右方向に連通させてもよい。
【００１１】
本体部１１は、上下及び後面を覆う断熱壁１２を有している。すなわち、断熱壁１２は、上下方向に延びる後部断熱壁１２ａと、後部断熱壁１２ａの上端部から前方に延びる上部断熱壁１２ｂと、後部断熱壁１２ａの下端部から前方へ延びる下部断熱壁１２ｃを有しており、図２に示すように縦方向断面において、前方が開口する略Ｃ字形に構成されている。断熱壁１２は、下方に配置される基台６５によって支持されている。
略Ｃ字形に構成された断熱壁１２を有する本体部１１の庫内側には、上方に配置される天板１５と後方に配置される後板１３と下方に配置される底板１４が連続して設けられており、庫内陳列室１０の上面、後面、下面を覆っている。
【００１２】
底板１４と下部断熱壁１２ｃとの間には下部ダクトＤ１が形成され、後板１３と後部断熱壁１２ａとの間には後部ダクトＤ２が形成され、天板１５と上部断熱壁１２ｂとの間には上部ダクトＤ３が形成されている。下部ダクトＤ１と後部ダクトＤ２と上部ダクトＤ３は順次連通しており、庫内陳列室１０への気流循環流路の一部を形成している。
下部ダクトＤ１の前方側には気流を吸い込むための吸込口６６が上方に開口するように設けられている。また、吸込口６６には図示しないが、塵埃や落下物の後部ダクトＤ１内への侵入を防止する吸込口カバーが設けられている。吸込口カバーは板材や網目状、格子状の部材を組合せたものが好ましい。
【００１３】
天板１５の前方端部には、上部ダクトＤ３を流通した気流を下方へ吹出すための吹出し口１６が設けられており、吹出し口１６には下方に向かう気流を整流する整流部材１６ａが設けられている。整流部材１６ａは、上部ダクトＤ３から庫内陳列室１０内へ下方向に気流を整流するための多数の通風路を有するハニカム状の部材である。
【００１４】
後板１３は、ほぼ上下方向に延びており、上方に向かうにしたがって後方側に突出するように傾斜している。後板１３の左右両端には、上下方向に延びる支柱部６１が設けられている。この支柱部６１には、図示しないが、上下方向に間隔を空けて複数の連通孔が形成されており、複数の陳列棚１８の後端に設けられたフック１８ａが着脱可能に取付けられている。陳列棚１８のフック１８ａを係合させる支柱部６１の連通孔の位置を変えることで、支柱部６１に対する陳列棚１８の上下方向の位置を変更させることができる。
【００１５】
下部ダクトＤ１は、仕切り板６７で前後方向に仕切られている。仕切り板６７の中央付近には図示しない孔部が形成されており、孔部を介して気流を送風する送風機６８が取付けられている。
下部ダクトＤ１と後部ダクトＤ２とが連通する部分には、冷却器６９が取付けられており、冷却器６９近傍には図示しない弁装置が配置されている。冷却器６９および弁装置は、ショーケース１の外部に設けられた、圧縮機や凝縮器等を有する図示しない冷凍回路に接続されている。冷却器６９内には、冷凍回路により冷却された冷媒が流れる。
【００１６】
図３に示すように、上部断熱壁１２ｂよりも前方には、支持部材２１が配置されている。支持部材２１は、上部ダクトＤ３の前方を封止しているとともに、整流部材１６ａの前端を保持している。
支持部材２１の前方端部には、板金を折り曲げ加工により形成された支持板２２が設けられている。支持板２２は、上方に向かうにしたがって前方に突出するように傾いた板本体２３と、板本体２３の上端部から前方に延びる前方折片部２４と、板本体２３の下端部から後方に延びる後方折片部２５を有している。支持板２２は、支持部材２１の左右方向の全長に亘り延設されている。すなわち、本体部１１の左右方向の全長と略同一長さに亘って設けられている。支持板２２は、支持部材２１に図示しないビスや溶接等で取付けられている。
板本体２３の水平方向からの立上り傾斜角度θ１は、後述する照明装置からの光を庫内陳列室１０へ導くため、３０度〜７０度程度であることが好ましく、本実施形態では５０度となっている。
支持板２２の本体板部２３には、パネル部８０が設けられている。パネル部８０には、庫内温度等を表示する表示部や、庫内温度設定等を操作するための操作部等が設けられている。本実施形態では表示部と操作部とが設けられている場合について説明するが、少なくとも表示部または操作部のいずれか一方を備えていればよく、また、別々のパネル部としてもよい。
【００１７】
図３に示すように、支持板２２の本体部２３前面側には指向性を有する照明装置であるＬＥＤ照明装置２８が取付けられている。ＬＥＤ照明装置２８は、ショーケース１の左右方向に亘って長手方向寸法を有する半円筒形状のケース部２９を有しており、このケース部２９の内部に複数のＬＥＤ光源３０が配列されている。なお、ＬＥＤ照明装置２８は、パネル部８０の上方側に配置されることが好ましい。
ケース部２９は、ＬＥＤ光源３０の光軸側を覆う半円筒状の光拡散部２９ａと、ＬＥＤ光源３０の裏面側に配置される平面状の固定部２９ｂを有している。固定部２９ｂには、磁石が取り付けられており、支持板２２の本体板部２３の表面に磁力により吸着し固定されている。すなわち、固定部２９ｂは、磁力を用いた吸着部として機能する。
このように、ＬＥＤ照明装置２８を磁石により吸着し固定することで、ＬＥＤ照明装置２８の取付けや交換を容易に行うことができ、照明位置の微調整を容易に行うことができるようになっている。また、ＬＥＤ照明装置２８の背面を直接、支持板２２に取付けることができるため、その他の固定具を必要とせず、光拡散部２９ａから照射される光を妨げる別部材を排除することができる。特に、ＬＥＤ照明装置２８の左右両端を支持する必要もないため、ＬＥＤ照明装置２８の長さ方向寸法の略全域から照明光を照射することができる。
ここで磁石の磁力はＬＥＤ照明装置２８が容易に落下しないが、作業者が容易に着脱可能な磁力となっている。
ここで上記吸着部として本実施形態では磁石を用いているが、その他にも吸盤等の吸着固定構造を用いてよい。
ＬＥＤ照明装置２８にはＬＥＤ光源３０を発光させるための電力を供給する図示しない電力線（リード線）が接続されている。
【００１８】
ＬＥＤ照明装置２８及び板本体２３の前方には、ＬＥＤ照明装置２８を覆うように照明カバー３１が設けられている。照明カバー３１は、本体部１１の左右方向寸法と略同一寸法を有しており、ショーケース１の前面開口の上端全体に亘り延設されている。
図３に示すように照明カバー３１は、上下方向に延びる板状に形成された第１カバー片４１と、第１カバー片４１の上端部から後方に延びる第２カバー片４２を有している。第１カバー片４１の下端部には、後方側へ折り返され上方に向かって突出する凸部４３が形成されている。
照明カバー３１は、半透明な樹脂により形成されており、後方側に配置されたＬＥＤ照明装置２８からの光を前方へ透過するように構成されている。ここで、照明カバー３１の第１カバー片４１はショーケース１前方に面するシェードとして機能する。
また、第１カバー片４１の下端は支持部材２１の下端よりも下方に位置し、ＬＥＤ照明装置２８や支持板２２やパネル部８０を覆う目隠しの機能を果たしている。そのため、照明カバー３１の第１カバー片４１は前面視で支持板２２と同等かそれ以上の面積を有して形成されている。
【００１９】
照明カバー３１は、第２カバー片４２が支持板２２の前方折片部２４にネジ部材４４で固定されることで、支持板２２に取付けられており、第１カバー片４１の下端の左右両端付近は平板状の下端係止部材３５を介して支持板２２の板本体２３に係止される構成となっている。下端係止部材３５は、後端が本体板部２３に固定され、前方に延びる腕部４８を有しており、ＬＥＤ照明装置２８よりも下方に配置されている。腕部４８の前端には、凹部４９が形成されており、凹部４９は、照明カバー３１の第１カバー片４１下端に設けられた凸部４３と係合することで、第１カバー片４１の前後方向へのぐらつきを防止するように構成されている。
また、下端係止部材３５は前方へ向かうに従い下方側に伸びるように形成されており、椀部４８の上辺は全域にわたり、ＬＥＤ照明装置２８の光軸Ｏ１よりも下方に位置するように形成されている。
【００２０】
照明カバー３１の上方には、第２カバー片４２の上面を半ば覆うように配置された上面補強板７３が設けられている。上面補強板７３は第２カバー片４２の左右方向に亘り当接する板金部材であり、ネジ部材４４により第２カバー片４２及び後述する下面補強板５０と共に、支持板２２の前方折曲部２４に固定されている。また、上面補強版７３の後方端側には、折返し曲加工が施された第２補強折返部７５が設けられている。
上面補強板７３の前方側は下方に垂下するように略Ｌ字状に折り曲げられており、その下方端部は折返し曲加工が施された第１補強折返部７４が形成されている。第１補強折返部７４は照明カバー３１の第１カバー片４１の前面側を押えるように当接している。
上面補強板７３が照明カバー３１の上面及び前面に当接することで、樹脂成型された照明カバー３１の経年変化や温度変化等による撓みなどの変形を押えることができる。さらに、上面補強板７３の第１，第２補強折返部７４，７５を有することでより強固な構造となり、照明カバー３１の変形を抑制することができる。
【００２１】
照明カバー３１の第２カバー片４２の下方には、下面補強板５０が設けられている。
下面補強板５０は、照明カバー３１の左右方向に亘って延設される板金部材であり、その後端には平板状の固定端部５３が設けられている。固定端部５３は、上述の上面補強板７３と照明カバー３１の第２カバー片４２と共に、ネジ部材４４により支持板２２の前方折片部２４に固定されている。
【００２２】
固定端部５３の前方には、下方に向かって傾斜した反射面部５１が形成されている。反射面部５１の下面はＬＥＤ照明部２８からの光を反射する反射面が形成されており、ＬＥＤ照明部２８に略対向するように配置されている。また、固定端部５３と反射面部５１とのなす角度θ２は、ＬＥＤ照明装置２８からの光を庫内陳列室１０側へ反射する角度に形成されている。
ここで、反射面部５１の傾斜角度は反射面法線方向Ｎが庫内陳列室１０へ向かう方向へ傾斜している。特に、法線方向Ｎは支持板部２３の傾斜角θ１と同等かそれよりも後方側へ傾くように形成されている。これにより、反射面部５１により反射されるＬＥＤ照明装置２８からの光は庫内陳列室１０に向かって照射され、特に店舗内照明の当りにくい庫内陳列室１０上方に配置される陳列棚１８への照明光を確保することができる。
【００２３】
また、下面補強板５０の前端部５２は折返し曲加工が施されており、照明カバー３１の第１カバー片４１の後面側を押えるように当接している。ここで、前端部５２と、第１補強折返部７４とは略同一高さに配置されており、照明カバー３１の第１カバー片４１の上方部分を挟みこむように配置されている。このように配置されることで、照明カバー３１の撓みや歪み等の変形をより強固に抑制することができる。さらに、下面補強板５０に反射面を設けることで無駄な部品点数を増加させることがなくより、低コストで信頼性も高くすることができる。
【００２４】
ＬＥＤ照明装置２８の光拡散部２９ａが前方側に面しているため、光軸Ｏ１はショーケース１の前方に向かう向きとなっている。本実施形態では図３に示すように光軸Ｏ１は照明カバー３１の第１カバー片４１に向かう方向となっている。ＬＥＤ光源３０が発する照明光には指向性があるため、この照明光が、対向する照明カバー３１及び下方の庫内陳列室１０に配置される複数の陳列棚１８等の所望の場所を照射するように、ＬＥＤ光源３０の光軸Ｏ１周辺への拡散光が設定されている。
【００２５】
例えば、本実施形態に用いられるＬＥＤ照明装置２８のＬＥＤ光源３０は光軸Ｏ１に対してビーム角が±９０度の範囲を有している。ここで光軸Ｏ１は最も輝度が大きい角度ではなく、ビーム角の中心角度である。最も輝度が高いピーク角度方向は、照明カバー３１に向かう角度、庫内陳列室１０に配置される各棚板１８に向かう角度、または反射面部５１に向かう角度のいずれかであることが好ましい。本実施形態では、照明カバー３１に向かう輝度が最も大きいピーク角度方向Ｏ２を有している。ここで、ピーク角度を複数を複数有するＬＥＤ照明装置とする場合は、少なくとも１つのピーク角度方向をシェードに向けて、その他のピーク角度方向は、庫内陳列室側や反射面に向けられていてもよい。
【００２６】
ＬＥＤ照明装置２８から照射される光は、ピーク角度方向Ｏ２が最も高い輝度として、光軸Ｏ１を中心に分布している。
本実施形態のように、ＬＥＤ照明装置２８の光軸Ｏ１方向に照明カバー３１が設けられていることで、シェードとして機能する照明カバー３１前面側である第１カバー片４１に、より強い光が照射されることで、明るい店舗内においても、シェードの見た目を良好にすることができる。
【００２７】
ショーケース１は制御部８１を備えている。制御部８１には、ＬＥＤ照明装置２８から引だされる図示しないリード線が接続されている。また、パネル部８０や送風機６８、図示しない庫内温度を計測する温度センサ、冷却運転に用いられる弁装置などが接続されている。
【００２８】
制御部８１、パネル部８０の操作部により操作設定された情報や温度センサ等からの情報を基に、ショーケース１の運転を制御する。すなわち、庫内温度を適正にするため、送風機６８の回転数や弁装置の開度を調整し、ＬＥＤ照明装置２８を点灯させる。なお、ＬＥＤ照明装置２８はＯＮ／ＯＦＦのみではなく調光機能を有するものや色温度変化するものであってもよい。
【００２９】
次に、以上のように構成されたショーケース１の動作について説明する。
冷凍回路で冷やされた冷媒より、冷却器６９が冷却される。ショーケース１を起動すると、制御部８１は、ＬＥＤ光源３０に電力を供給し、ＬＥＤ光源３０を点灯させる。ＬＥＤ光源３０が発した照明光は、照明カバー３１や各陳列棚１８等に照射される。
【００３０】
制御部８１が送風機６８に電力を供給すると、送風機６８は、図２に示すように空気Ａ１を流す。この空気Ａ１は冷却器６９で冷却される。冷却された空気Ａ２の一部は、後部ダクトＤ２、上部ダクトＤ３、及び吹出し口１６の整流部材１６ａを通って下方に向かって流れる空気Ａ３となる。この空気Ａ３は、庫内陳列室１０内の空気が外部に流れ出るのを抑制する。
【００３１】
空気Ａ３は、吸込口６６を通って下部ダクトＤ１内に流れ込み、送風機６８により再び冷却器６９に向かって流れる。
後部ダクトＤ２内を流れる冷却された空気Ａ２の一部は、後板１３に設けられた図示しない背面吹出し口から庫内陳列室１０内に流れ、庫内を冷却する。
【００３２】
以上説明したように、本実施形態のショーケース１によれば、無駄な照明装置を設けることなく、照明カバー３１のシェード及び庫内陳列室１０の照明を効率よく行うことができ、部品点数が少なく消費電力を抑えたショーケースを提供することができる。
さらに、ＬＥＤ照明装置２８に対向するように配置される下面補強板５０に反射面部５１を設けることで、ＬＥＤ照明からの無駄な照射光を庫内陳列室１０への照明に使用することができる。
また、ＬＥＤ照明装置２８が固定される本体板部２３の水平からの立上り傾斜角度θ１を有することで、ＬＥＤ照明装置２８からのビーム角全体での照射光量を抑えて照明に消費される電力を抑えつつ、照明カバー３１への照射光量と庫内陳列室１０への照射光量を確保することができる。
【００３３】
特に、本実施形態のように、ＬＥＤ照明装置２８の光軸を照明カバー３１のシェード側に向けることにより、照明カバー３１のシェードへの照射光を充分に確保しながらＬＥＤ照明装置２８の消費電力を抑えることができる。例えば、照明の行き届いた店舗内において、店舗内照明によりショーケース庫内陳列室への光量がある程度確保でき、必ずしもショーケース１に取り付けられる照明装置からの光を庫内側への照明に優先する必要がない場合において、シェードの照射光量を充分確保し、ショーケース１そのものの見栄えを良好にすることができる。
【００３４】
ＬＥＤ照明装置２８がパネル８０の上端よりも上方に配置されることで、パネル８０の視認性がよく、ショーケースを据え付けた店舗管理者等の作業者が、パネル８０の表示確認作業や設定操作作業等を行う場合に良好な作業性を確保することができる。
特にシェードである照明カバー３１の第１カバー片４１の下端が支持板２２の下端と同等か下方に位置し、立上り傾斜角度θ１で傾斜する同一平面上（本体板部２３）にＬＥＤ照明装置２８と、ＬＥＤ照明装置２８よりも下方にパネル部８０を配置することにより、作業者がＬＥＤ照明装置２８からの照射光を直視することなく、作業性を向上することができる。
【００３５】
下端係止部材３５には切欠き４８ａが形成され、照明カバー３１の下端部に設けられた凸部４３が切欠き４８ａに係止されることで、下端係止部材３５が照明カバー３１を係止する。したがって、下端係止部材３５により、照明カバー３１の下端部の位置を保持することができ、照明カバー３１下端の前後方向へのぐらつきを抑えることができる。
【００３６】
さらに、下端係止部材３５は、ＬＥＤ照明装置２８の下方に位置し、光軸Ｏ１よりも下方に位置するように形成されていることで、シェードへの影をつくる遮蔽物とならない。
【００３７】
なお、本実施形態では、照明カバー３１はＬＥＤ照明装置２８を前方及び上方において覆うとした。
【００３８】
ショーケース１の冷却器６９は、ショーケース１の外部に設けられた冷凍回路に接続されるとしたが、この冷凍回路をショーケース１に内蔵してもよい。
【００３９】
また、上記実施形態において照明カバー２８の前面側に位置する第１カバー片をシェードとして説明したが、第１カバー片４１のみに限定されるものではなく、上面側の第２カバー片４２側も含んでシェードとして構成してもよい。さらにシェードの形状は平板状のみではなく曲面を有する形状であってもよく、種々の形状として構成してよい。
【００４０】
ショーケース１は図１にも示すように、左右方向に複数の本体部１１を連結して設置してよいが、仕切り板５を設けずに、庫内陳列室１１を連通して連結する場合には、隣り合う複数の照明カバー２８を密着して設置してよい。さらに、複数のショーケース１に跨る照明カバー２８を連続して形成させてもよい。これにより、照明カバー２８のシェード部分の見た目を良好にすることができる。
【００４１】
さらに、上記のように仕切り板５を有さずに複数のショーケース１を連結させた場合に、隣り合うショーケース１に配置される各ＬＥＤ照明装置２８の高さ方向を互い違いに千鳥配置してもよい。さらに千鳥配置とするＬＥＤ照明装置２８の左右方向を重ねるオーバーラップ配置としてもよい。このように配置することにより、連続する各ショーケース１の連結部分でのシェードへの照明光を充分に確保することができ、連結部分でのシェードへの照明不足によるシェードの明暗を低減することができる。なお、このようにＬＥＤ照明装置２８をオーバーラップ配置とするためにＬＥＤ照明配置の左右方向長さを、ショーケース１の本体部１１の左右方向長さよりも長く形成してもよい。
【００４２】
本発明の実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４３】
１…ショーケース、１０…庫内陳列室、１１…本体部、１６…吹出し口、陳列棚１８、２１…支持部、２８…ＬＥＤ明装置、２９…ケース部、３０…ＬＥＤ光源、３１…照明カバー、４１…第１カバー片（シェード）、３５…下端係止部材、４３…凸部、４７…第１腕部、４８…第２腕部、４９…凹部、５０…下面補強部、５１…反射面部、７３…上面補強板、８０…パネル部、Ｏ１…光軸、Ｏ２…ピーク角度方向
【図１】
2019097712.tif 000003
【図２】
2019097712.tif 000004
【図３】
2019097712.tif 000005